(57)【要約】【課題】フィルター部材近傍に、広範囲に亘って、乱流、逆流を生じさせ、これにより、フィルター部材上の不純物を取り除き、送液管中の主流へ排出することを、十分に且つ速やかに可能とするサンプリング採取装置を提供する。【解決手段】一定方向に向かって流れる処理液を適宜採取する試料採取装置であって、処理液が流れる送液管と、この送液管内部に導入口を開口すると共に、排出口を送液管外に開口してなるサンプリング管と、そのサンプリング管の導入口に装着された接続部材と、その接続部材の導入口に装着されたフォルター部材とからなり、前記送液管の処理液送入部と排出部の口径が他の部分の口径より小さく設定されてなり、また、前記フィルター部材は、枠体とメッシュとからなると共に、その先端部が円錐体状となるように形成され、この円錐体状の頂部は処理液の上流側に向けられていることを特徴とする試料採取装置。【選択図】なし【特許請求の範囲】
【請求項１】
一定方向に向かって流れる処理液を適宜採取する試料採取装置であって、処理液が流れる送液管と、この送液管内部に導入口を開口すると共に、排出口を送液管外に開口してなるサンプリング管と、そのサンプリング管の導入口に装着された接続部材と、その接続部材の導入口に装着されたフォルター部材とからなり、前記送液管の処理液送入部と排出部の口径が他の部分の口径より小さく設定されてなり、また、前記フィルター部材は、枠体とメッシュとからなると共に、その先端部が円錐体状となるように形成され、この円錐体状の頂部は処理液の上流側に向けられていることを特徴とする試料採取装置。
【発明の詳細な説明】
【技術分野】
【０００１】
本発明は、一定方向に向かって流れる処理液を、その濃度調査のために採取する際に用いる試料採取装置に関する。
【背景技術】
【０００２】
工業的に生産される布帛は、準備、染色、仕上加工等の各過程において、糊抜き、精錬、漂白、染色、洗浄、樹脂加工等の各処理を受ける。例えば、漂白過程においては過酸化水素等を含む酸化漂白剤、或いは酸性亜硫酸ソーダ等を含む還元漂白剤を布帛に含浸させる処理が、又樹脂加工過程においては合成樹脂剤、触媒、助剤等を含む樹脂加工用剤を布帛に付与する処理がなされる。
このような処理を行う装置において、例えば、所定の処理液を循環して使用する漂白機、シルケット機、減量加工機等にあっては、得られる製品の品質を維持するために、処理液の濃度を常に監視し、その濃度を予め定めた範囲に都度調整する必要がある。
かかる濃度調査用試料を採取する機構として、本出願人は、図２に示すようなものをを既に提案している（特許文献１）。
【０００３】
【特許文献１】特開平１１−３３３１８号公報
【０００４】
同図に示すように、同機構は、処理液２０を一定方向へ移送する送液管３０にサンプリング管３１を分岐状態で連結し、フィルター３２を備えるサンプリング管３１の導入口３５を前記送液管３０内に開口すると共に、その排出口３６を系外に設けた適宜な濃度検査用容器３７に臨ませた構成となっている。
また、フィルター３２は、ラッパ状の導入口３３ａを有する本体部材３３と円錐体のメッシュ部を有するフィルター部材３４とからなっている。
【０００５】
図２に示す機構において、前記送液管３０中を流れる処理液２０の一部はこの処理液２０自体が備える圧力によって連続的にフィルター３２を通ってサンプリング管３１内に流入し、次いで該サンプリング管３１を経由して濃度検査用容器３７に到着する。次いで、同容器３７中の試料は、別位置で濃度検査される。尚、サンプリング管３１には、処理液２０の流通を開閉する弁３８が設置されており、試料採取を実施しないときはこれを閉状態にする。
採取した試料の濃度検査の結果に合わせて、処理液２０の成分、温度等、濃度に関する数値が自動操作又は人為操作により加減され、これにより所定の濃度が常に維持される。
【０００６】
このようなサンプリング管３１を用いる処理液２０の採取においては、本体部材３３の導入口３３ａ付近の口径に比べてその内側部、即ち、流通方向の先端部が狭くなっているので、その部分の処理液２０の内圧が高くなり、この処理液２０に乱流、逆流が頻繁に発生する。この乱流、逆流が原因となってフィルター部材３４の内側と外側間に圧力差が生じる。一方、フィルター部材３４の全体形状は、液流の動圧を受けにくい円錐体に形成されているので、フィルター部材３４の表面に目詰まりした不純物は、前述の乱流、逆流によって生じるフィルター部材３４内部の圧力により取り除かれ、更に処理液２０の液流によって剥がされ、送液管３０の下流へ流される。
しかしながら、上記乱流、逆流は、フィルター３２内に生じるだけであり、フィルター部材３４に付着した不純物を取り除くには、不十分であった。
【発明の開示】
【発明が解決しようとする課題】
【０００７】
本発明は、上述のような問題点に鑑みなされたものであって、その目的は、送液管内のフィルター部材近傍に、広範囲に亘って、乱流、逆流を生じさせ、これにより、フィルター部材上の不純物を取り除き、送液管中の主流へ排出することを、十分に且つ速やかに可能とする試料採取装置を提供することにある。
【課題を解決するための手段】
【０００８】
本発明者らは、鋭意検討を重ねた結果、本発明を達成したものであって、本発明の目的は、一定方向に向かって流れる処理液を適宜採取する試料採取装置であって、処理液が流れる送液管と、この送液管内部に導入口を開口すると共に、排出口を送液管外に開口してなるサンプリング管と、そのサンプリング管の導入口に装着された接続部材と、その接続部材の導入口に装着されたフォルター部材とからなり、前記送液管の処理液送入部と排出部の口径が他の部分の口径より小さく設定されてなり、また、前記フィルター部材は、枠体とメッシュとからなると共に、その先端部が円錐体状となるように形成され、この円錐体状の頂部は処理液の上流側に向けられていることを特徴とする試料採取装置によって達成される。
【発明の効果】
【０００９】
本発明により、送液管内のフィルター部材近傍に、広範囲に亘って、乱流、逆流を生じさせ、これにより、フィルター部材上の不純物を取り除き、送液管中の主流へ排出することを、十分に且つ速やかにできる試料採取装置を提供することができる。
【発明を実施するための最良の形態】
【００１０】
以下、図１により本発明の一実施態様を説明する。
図１は、本発明の試料採取装置の一実施態様を示す縦断面図である。
図において、１は送液管、２は処理液送入部、３は処理液排出部、４はフィルター部材近傍の送液管上部、５はフィルター部材近傍の送液管下部、６はフィルター部材、７はメッシュ、８は枠体、９は接続部材、１０はサンプリング管を示している。
【００１１】
図１に示す試料採取装置は、処理液２０を一定方向へ移送する送液管１にサンプリング管１０を分岐状態で連結し、フィルター部材６を接続部材９を介して備えるサンプリング管１０の導入口１１を前記送液管１内に開口すると共に、その排出口１２を送液管１外に開口してなる。この排出口１２は、従来使用されている、図２に示すような系外に設けた適宜な濃度検査用容器に臨ませた構成となっている。また、サンプリング管１０には、従来使用されている、図２に示すような処理液２０の流通を開閉する弁を設け、試料採取の調節を行うようにする。
【００１２】
送液管１においては、サンプリング管１０とフィルター部材６を挟んで、処理液送入部２と処理液排出部３が設けられており、また、図１に示すように、その口径が他の部分の口径よりも小さく構成されている。
処理液送入部２の口径ｘ１及び処理液排出部３の口径ｘ２と、送液管の口径ｙとの比率は、１：３とすることが好適である。
【００１３】
また、フィルター部材近傍の送液管４，５の口径を、図１に示すように、他の部分の口径よりも大きく構成している。送液管の口径ｙとフィルター部材近傍の送液管の口径ｚとの比率は、２：３とすることが好適である。
このように、フィルター部材近傍の送液管の口径を他の部分の口径より大きく構成することで、本発明の効果がより得られる。
【００１４】
また、フィルター部材６は、枠体８とメッシュ７からなる。枠体８は、円筒状で、その先端部分にメッシュ７が装着されて、円錐状体となっている。
このフィルター部材６は、その枠体８が接続部材９の導入口に係合してなり、その接続部材９は、サンプリング管の導入口に係合してなる。
尚、上記枠体８と接続部材９とは、一体化したものとしてもよい。
また、フィルター部材６の先端部は、正円錐体に限らず、類似する形状であってもよく、本発明の目的を達成する形状であればよい。
【００１５】
このような試料採取装置を用いての試料の採取は、弁を開いた状態においては、送液管１を通る処理液２０の一部がフィルター部材６を経由してサンプリング管１０を通り、濃度検査用容器に送られる。
【００１６】
この間、処理液送入部２及び排出部３の口径と送液管１の口径との違いにより、また、フィルター部材近傍の送液管４，５の口径と送液管１の口径との違いにより、送液管１内に圧力差が生じ、これによって、フィルター部材６近傍の送液管内に乱流、逆流が発生する。また、フィルター部材６内外にも圧力差が生じ、逆流、乱流が発生する。これらの逆流、乱流により、円錐体状のメッシュ７表面に目詰まりした不純物が取り除かれ、更に処理液２０によって剥がされ、送液管１の下流に流される。
本発明のように、フィルター部材内部だけでなく、送液管内にも広範囲に亘って乱流、逆流を発生させることにより、メッシュに付着した不純物を十分に且つ速やかに取り除くことが可能となる。よって、連続的に試料採取を行ってもメッシュ表面の目詰まりが起こりにくい。
また、常に処理中の試料を採取することができるので、測定遅れがなく、コントロール精度が向上する。
【産業上の利用可能性】
【００１７】
本発明の試料採取装置は、準備、染色、仕上加工等の各過程において、糊抜き、精錬、漂白、染色、洗浄、樹脂加工等の各処理に使用される処理液を、その濃度調査のために採取する際に好適に用いられる。
【図面の簡単な説明】
【００１８】
【図１】本発明の試料採取装置の一実施態様を示す垂直方向縦断面図である。
【図２】従来の試料採取装置を示す垂直方向縦断面図である。
【符号の説明】
【００１９】
１  送液管
２  処理液送入部
３  処理液排出部
４、５  フィルター部材近傍の送液管  
６  フィルター部材
７  メッシュ
８  枠体
９  接続部材
１０  サンプリング管
【図１】
2005189206.tif 000002
【図２】
2005189206.tif 000003